(57)【要約】    【課題】観音開きをして開封した後、ブリスターパックを安定してディスプレイ可能な包装箱を提供する。    【解決手段】ブリスターパック２のヘッダ２１ａに面取部（アール部２３）を設けておき、天壁４中央に、側壁５ａ，ｂと平行な一対の第１切目線１１ａ，ｂを施こすことにより切り取り可能な第１切取り片１２を形成し、端壁に、第１切目線１１ａ，ｂの一端から底壁３に至る第２切目線１３ａ，ｂを施すことにより切り取り可能な第２切取り片１４ａ，ｂを形成し、底壁３中央に、第１切目線１１ａ，ｂと平行な折目線１０を施し、第１切取り片１２を切り取った状態で折目線１０に沿って底壁３を折り曲げることにより、ブリスターパック２の面取部が、折目線１０を中心とし、かつ第１切目線１１ａ，ｂを通る円周Ｍ内側を通って露出されるように構成する。【選択図】図１
2004182345.tif 000002
【特許請求の範囲】
【請求項１】
ヘッダを有する台紙に品物を包装したブリスターパックの両側を天壁および底壁にそれぞれ内接させるとともに、前記ブリスターパックの上端および下端を側壁にそれぞれ内接させ、前記ブリスターパックを２列かつ前記ブリスターパックのヘッダを隣接するブリスターパックの品物に重ね合わせた状態で包装する包装箱において、
前記ブリスターパックのヘッダに面取部を設けておき、
前記天壁中央に、前記側壁と平行な一対の第１切目線を施こすことにより切り取り可能な第１切取り片を形成し、
前記端壁に、前記第１切目線の一端から前記底壁に至る第２切目線を施すことにより切り取り可能な第２切取り片を形成し、
前記底壁中央に、前記第１切目線と平行な折目線を施し、
前記第１切取り片を切り取った状態で前記折目線に沿って底壁を折り曲げることにより、前記ブリスターパックの面取部が、前記折目線を中心とし、かつ前記第１切目線を通る円周内側を通って露出されることを特徴とする包装箱。
【請求項２】
前記折目線は、切り離し可能であることを特徴とする請求項１に記載の包装箱。
【請求項３】
前記底壁に、第３切目線を施こすことにより切り取り可能な第３切取り片を形成したことを特徴とする請求項２に記載の包装箱。
【請求項４】
前記天壁は、前記底壁、該底壁の両側に連設した一対の側壁、および、これら側壁にそれぞれ連設した取付部からなる箱本体と別体に形成したもので、
その内側面に２以上の前記箱本体を取り付けるとともに、隣接する箱本体の境界部分に位置するように一対の第４切目線を施すことにより切り取り可能な第４切取り片を形成したことを特徴とする請求項１乃至請求項３のいずれか１項に記載の包装箱。
【発明の詳細な説明】
【技術分野】
【０００１】
本発明は、ヘッダ付きのブリスターパックを包装する包装箱に関するものである。
【背景技術】
【０００２】
本発明の包装箱に関連する先行技術文献情報としては次のものがある。
【０００３】
【特許文献１】実公平５−５１４７号公報
【０００４】
この特許文献１の包装箱１００では、図１５に示すように、複数のブリスターパック１０１（２つのみ図示）を２列で包装していた。このブリスターパック１０１は、ヘッダ１０２を有する矩形状の台紙１０３に品物１０４をポリプロピレンなどの樹脂で包装したものである。
【０００５】
このブリスターパック２を包装箱１００に収納する際、まず、２つのブリスターパック１０１をヘッダ１０２が隣接するブリスターパック１０１の品物１０４に重ね合わせた状態で互いに組み合わせ、２列で配列する。このようにブリスターパック１０１を重ね合わせて包装箱１００内に収容することにより、ヘッダ１０２付近の無駄な空間を削減して運搬するときの包装箱１００の容積削減を図ることができる。
【０００６】
包装箱１００を開封する場合、まず包装箱１００中央部分の全周に設けられた切取り片１０５を切取り、図１６において矢印で示すように、包装箱１００を水平方向に移動させて分割し、その後、その分割した包装箱１００ａ，ｂを回転させて開封していた。
【発明の開示】
【発明が解決しようとする課題】
【０００７】
しかしながら、前記包装箱の開封方法は、水平方向に分割（移動）する必要があり、煩わしいという問題があった。また、包装箱１００を観音開きして開封するには、天壁１０６全てを切り取り、ヘッダ１０２が天壁１０６に引っ掛からないようにする必要があった。この場合、開封した後の両者の包装箱１００ａ，ｂにおいて、ブリスターパックの一方の側を支持する側壁がなくなりブリスターパックを立てた状態で安定してディスプレイできなくなるという問題もあった。
【０００８】
そこで、本発明は、観音開きをして開封した後、ブリスターパックを安定してディスプレイ可能な包装箱を提供することを課題とする。
【課題を解決するための手段】
【０００９】
前記課題を解決するため、本発明の包装箱は、ヘッダを有する台紙に品物を包装したブリスターパックの両側を天壁および底壁にそれぞれ内接させるとともに、前記ブリスターパックの上端および下端を側壁にそれぞれ内接させ、前記ブリスターパックを２列かつ前記ブリスターパックのヘッダを隣接するブリスターパックの品物に重ね合わせた状態で包装する包装箱において、前記ブリスターパックのヘッダに面取部を設けておき、前記天壁中央に、前記側壁と平行な一対の第１切目線を施こすことにより切り取り可能な第１切取り片を形成し、前記端壁に、前記第１切目線の一端から前記底壁に至る第２切目線を施すことにより切り取り可能な第２切取り片を形成し、前記底壁中央に、前記第１切目線と平行な折目線を施し、前記第１切取り片を切り取った状態で前記折目線に沿って底壁を折り曲げることにより、前記ブリスターパックの面取部が、前記折目線を中心とし、かつ前記第１切目線を通る円周内側を通って露出される構成としている。
【００１０】
この包装箱では、前記折目線は、切り離し可能であることが好ましい。
【００１１】
また、前記底壁に、第３切目線を施こすことにより切り取り可能な第３切取り片を形成することが好ましい。
【００１２】
また、前記天壁は、前記底壁、該底壁の両側に連設した一対の側壁、および、これら側壁にそれぞれ連設した取付部からなる箱本体と別体に形成したもので、その内側面に２以上の前記箱本体を取り付けるとともに、隣接する箱本体の境界部分に位置するように一対の第４切目線を施すことにより切り取り可能な第４切取り片を形成することが好ましい。
【発明の効果】
【００１３】
本発明の包装箱では、天壁の第１切取り片および端壁の第２切取り片を包装箱から切り取り、ブリスターパックを底壁中央に位置する折目線を中心にして回転させ、包装箱を観音開きして開封する。このとき、ブリスターパックのヘッダに、底壁の折目線を中心とし、かつ第１切目線を通る円周内側に位置する面取部が形成されているので、ヘッダが天壁に引っ掛かることなく開封することが可能となる。また、開封した後、ブリスターパックの両側は、包装箱の底壁および天壁により支持されているので安定してディスプレイできる。
【００１４】
また、前記折目線を切り離し可能に形成しているため、観音開きした後で、包装箱を折目線で切り離すことにより、ブリスターパックをディスプレイする自由度を広げることができる。
【００１５】
さらに、底壁に第３切目線を施こすことにより切り取り可能な第３切取り片を形成しているため、ブリスターパックをより露出させてディスプレイすることができる。
【００１６】
さらにまた、天壁を箱本体と別体に形成し、１つの天壁によって複数の箱本体を纏めて包装できるようにしているため、物流に係る作業性を大幅に向上することができる。
【発明を実施するための最良の形態】
【００１７】
以下、本発明の実施の形態を添付図面にしたがって説明する。
【００１８】
図１は、本発明に係る第１実施形態の包装箱１であって、１２個のブリスターパック２（２つの隣接するブリスターパック２のみ図示）を包装箱１内部に包装した状態を示している。
【００１９】
前記包装箱１は、ダンボールなどの紙材料からなる矩形状の箱であって、そのブランクは、図２に示すように、順次連設された底壁３、側壁５ａ、天壁４および側壁５ｂからなる。前記底壁３の両端にはフラップ６ａ，ｂが設けられ、また前記天壁４の両端にはフラップ６ｃ，ｄが設けられている。また、前記側壁５ａの両端にはフラップ７ａ，ｂが設けられ、前記側壁５ｂの両端にはフラップ７ｃ，ｄがそれぞれ設けられている。また、前記底壁３の前記側壁５ａが連設されている一端とは反対側の他端には、糊付片８が連設されている。なお、前記糊付片８、底壁３、側壁５ａ、天壁４および側壁５ｂの境界部分、および、これらとフラップ６ａ〜ｄ，７ａ〜ｄの境界部分には、細い破線で示すように罫を入れて形成した折曲線が設けられている。また、フラップ６ａ〜ｄは、フラップ７ａ〜ｄに貼着することにより端壁を構成する。
【００２０】
前記底壁３の中央には、折目線１０が施されている。この折目線１０は、切断部分と非切断部分が一定間隔で連続したミシン目状の切断ラインからなり、後述するように観音開きした後で切り離し可能となっている。
【００２１】
前記天壁４の中央には、前記側壁５ａ，ｂと平行な一対の切目線１１ａ，ｂ（第１切目線）が施こされている。この切目線１１ａ，ｂは、切断部分と非切断部分が一定間隔で連続したミシン目状の切断ラインからなり、天壁４の一端から他端まで延びており、その間に切取り片１２（第１切取り片）を形成している。
【００２２】
前記天壁４に連続するフラップ６ｃ，ｄには、切目線１１ａ，ｂの一端から該フラップ６ｃ，ｄの先端に至る切目線１３ａ，ｂ（第２切目線）がそれぞれ施されており、これによりその間に切取り片１４ａ，ｂ（第２切取り片）が形成されている。本実施形態の切取り片１４ａ，ｂは、折曲線を介して天壁４の第１の切取り片１２と連続しており、この切取り片１４ａ，ｂをフラップ６ｃ，ｄから切り取ることにより、連続して前記切取り片１２を天壁４から切り取ることができるようになっている。また、フラップ６ｃ，ｄの一端には、半円形状の切目線１３’がそれぞれ施されている。これにより、ユーザの指先を指し込むことによりユーザの指先が係るための係合穴が形成され、フラップ６ｃ，ｄに形成された切取り片１４ａ，ｂを切り取る際の作業性の向上を図っている。
【００２３】
前記底壁３に連続する前記フラップ６ａ，ｂには、フラップ６ａ，ｂの先端から底壁３に至る一対の切目線１５ａ，ｂ（第２切目線）がそれぞれ施されており、これらによりその間に切取り片１６ａ，ｂ（第２切取り片）を形成している。この２つの切目線１５ａ，ｂのうち一方の切目線１５ａ，ｂの一端は、底壁３の折目線１０の一端と一致するように設けられている。また、他方の切目線１５ａ，ｂの一端は、フラップ６ｃ，ｄの切目線１３ａ，ｂと一致するように設けられている。このように、本実施形態では、端壁を一対のフラップ６ａ，ｂおよびフラップ６ｃ，ｄにより構成しているため、この端壁に形成する第２切取り片を２つに分割して形成している。
【００２４】
また、前記底壁３には、前記切目線１５ａ，ｂの一端から折目線１０の中央近傍に至る切目線１７ａ，ｂ（第３切目線）が施こされている。そして、本実施形態では、この第３切目線１７ａ，ｂと切り離し可能な前記折目線１０により、底壁３から切り取り可能な切取り片１８ａ，ｂ（第３切取り片）が形成されている。そして、この切取り片１８ａ，ｂは、折曲線を介してフラップ６ａ，ｂの第２の切取り片１６ａ，ｂと連続しており、この切取り片１６ａ，ｂをフラップ６ａ，ｂから切り取ることにより、連続して前記切取り片１８ａ，ｂを底壁３から切り取ることができるようになっている。
【００２５】
前記ブリスターパック２は、図３（ａ），（ｂ）に示すように、ヘッダ２１ａを有する台紙２１に品物２２をポリプロピレンなどの樹脂で包装したものである。台紙２１のヘッダ２１ａには、面取部であるアール部２３が形成されている。このアール部２３は、図５に示すように、前記底壁３の折目線１０を中心とし、かつ前記切目線１１ａ，ｂを通る円周Ｍの内側に位置するように形成されている。また、ヘッダ２１ａ上端の中央には、ブリスターパック２を陳列する際、フックに掛けるためのフック穴２４が形成されている。
【００２６】
このブリスターパック２を包装箱１に収納する際、まず図１に示すように、２つのブリスターパック２をヘッダ２１ａを隣接するブリスターパック２の品物２２に重ね合わせた状態で互いに組み合わせ、前記底壁３上に２列で配列する。なお、他の組み合わせたブリスターパック２を収納する際には、図４に示すように、台紙２１の背面が互いに重畳するとともに、品物２２が同一側壁５ａ，５ｂにおいて同一方向に突出するように配列する。そして、全てのブリスターパック２を収納すると、前記側壁５ｂと前記糊付片８とを貼着する。次に、フラップ７ａ，ｃおよびフラップ７ｂ，ｄを折り曲げた状態で、フラップ６ａ，ｃおよびフラップ６ｂ，ｄを重ね合せて貼着して端壁を形成する。
【００２７】
この収納状態では、端壁において切目線１３ａ，ｂおよび切目線１５ａ，ｂは、連続しており、切目線１１ａ，ｂの一端から底壁３に至るようになっている。また、ブリスターパック２の台紙２１の両側が底壁３および天壁４にそれぞれ内接するとともに、ブリスターパック２の台紙２１の上端および下端が対向する側壁５ａ，ｂにそれぞれ内接した状態で、ブリスターパック２は包装される。
【００２８】
次に、前記構成からなる包装箱１を開封する場合について説明する。
【００２９】
図４に示すように、フラップ６ｃ，ｄの一端の切目線１３’により形成される係合穴にユーザの指先を引っ掛けて、端壁を構成するフラップ６ｃ，ｄから切取り片１４ａ，ｂおよび天壁４から切取り片１２を切り取る。また、フラップ６ａ，ｂの一端にユーザの指先を引っ掛けて、端壁を構成するフラップ６ａ，ｂから切取り片１６ａ，ｂを切り取るとともに、底壁３の切取り片１８ａ，ｂを切り取る。
【００３０】
次に、図５に矢印で示すように、底壁３の折目線１０を回転中心にして包装箱１の両側を下向きに回転させ、底壁３を折り曲げることにより、観音開きする。このとき、ブリスターパック２のヘッダ２１ａに形成されたアール部２３は、前記円周Ｍの内側に位置するので、切取り片１２を切り取った後の天壁４に引っ掛かることがない。そして、図６に示すように、折目線１０で包装箱１を切り離し、分割後の包装箱１ａ，ｂをブリスターパック２が同じ向きに揃うように移動させて、ブリスターパック２をディスプレイする。このとき、ブリスターパック２の両側は、包装箱１ａ，ｂの底壁３および天壁４により支持されているので安定してディスプレイできる。また、底壁３から切取り片１８ａ，ｂがそれぞれ切り取られているので、ブリスターパック２をより露出させてディスプレイすることができる。
【００３１】
図７は第２実施形態の包装箱１のブランクを示す。この第２実施形態では、糊付片８、天壁４、側壁５ａ、底壁３および側壁５ｂの順番で各壁が順次連設されている。そして、底壁３に連設するフラップ６ａ，ｂには、切目線１５ａ，ｂの一端が、いずれも底壁３の折目線１０一端の近傍に位置し、第２の切取り片１６ａ，ｂが三角形状をなすように形成されている。また、この第２実施形態では、この切取り片１６ａ，ｂにユーザの指先が係るための係合穴を構成する半円形状の切目線１３’がそれぞれ形成されている。なお、この第２実施形態では、第１実施形態に示す第３の切取り片１８ａ，ｂを形成するための切目線１７ａ，ｂは設けていない。このように構成した第２実施形態の包装箱１は、第１実施形態と同様の作用、効果を得ることができる。
【００３２】
図８から図１２は第３実施形態の包装箱１を示す。この第３実施形態では、天壁４を、底壁３および側壁５ａ，ｂを有する箱本体１’と別体に形成するとともに、天壁４に対して２個の箱本体１’を固着するようにした点で前記各実施形態と大きく相違している。
【００３３】
具体的には、前記箱本体１’のブランクは、図９に示すように、順次連設された側壁５ａ、底壁３および側壁５ｂからなる。底壁３の両端にはフラップ６ａ，ｂが設けられている。また、側壁５ａの両端にはフラップ７ａ，ｂが設けられ、側壁５ｂの両端にはフラップ７ｃ，ｄがそれぞれ設けられている。さらに、側壁５ａ，ｂには、取付部である糊付片８，８が更に連設されている。
【００３４】
前記底壁３には、第２実施形態と同様に中央に折目線１０が施され、第３の切取り片１８ａ，ｂを形成するための切目線１７ａ，ｂは設けていない。
【００３５】
前記底壁３に連続する前記フラップ６ａ，ｂには、先端から底壁３に至る一対の第２の切目線１５ａ，ｂがそれぞれ施されており、その一端は、いずれも底壁３の折目線１０の一端の近傍に位置し、第２の切取り片１６ａ，ｂが三角形状をなすように形成されている。また、この切取り片１６ａ，ｂにはユーザの指先が係るための係合穴を構成する半円形状の切目線がそれぞれ形成されている。
【００３６】
別体の天壁４のブランクは、前記箱本体１’の底壁３の略２倍の幅を有する矩形状のシートからなり、その上下両端にはフラップ６ｃ，ｄが連設されている。この天壁４には、隣接する箱本体１’，１’の境界部分である幅方向中央に、フラップ６ｃ，ｄの端縁にかけて延びる一対の第４切目線３０ａ，ｂを施すことにより、その間に切り取り可能な第４切取り片３１が形成されている。前記切目線３０ａ，ｂは、所定間隔をもってミシン目状に形成した切断部分と、該切断部分の一端に連設した内向きに傾斜するガイド用切断部分とからなるジッパーからなる。本実施形態では、第４の切取り片３１をそれぞれ上下上端から中央に向けて破断操作するように、前記ガイド用切断部分は、中央上部では上端に連設し、中央下部では下端に連設されている。また、本実施形態の天壁４には、前記切取り片３１を境界として左右に区画された領域のそれぞれ中央に、側壁５ａ，ｂと平行な一対の第１の切目線１１ａ，ｂがそれぞれ施こされ、その間に第１の切取り片１２が形成されている。
【００３７】
前記天壁４に連続するフラップ６ｃ，ｄには、前記切目線１１ａ，ｂの一端から該フラップ６ｃ，ｄの先端に至る第２の切目線１３ａ，ｂがそれぞれ施されており、これによりその間に第２の切取り片１４ａ，ｂが形成されている。この切取り片１４ａ，ｂは、第１実施形態と同様に折曲線を介して第１の切取り片１２と連続しており、この切取り片１４ａ，ｂをフラップ６ｃ，ｄから切り取ることにより、連続して前記切取り片１２を天壁４から切り取ることができるようになっている。
【００３８】
このブリスターパック２を包装箱１に収納する際には、まず、第１実施形態と同様に、２つのブリスターパック２をヘッダ２１ａを隣接するブリスターパック２の品物２２に重ね合わせた状態で互いに組み合わせ、前記底壁３上に２列で配列する。そして、全てのブリスターパック２を箱本体１’に収納すると、図１１に示すように、前記側壁５ａ，ｂと前記糊付片８，８とを折曲線に沿って折り曲げる。次に、フラップ７ａ，ｃおよびフラップ７ｂ，ｄを折り曲げた状態で、フラップ６ａ，ｂを重ね合せて貼着する。
【００３９】
この状態で、箱本体１’の糊付片８を別体の天壁４におけるブリスターパック２が内接する内側面に配置し、これらを貼着する。この際、糊付片８，８において、第４の切取り片３１と重畳する領域は、糊付けされないようにすることが好ましい。ついで、天壁４のフラップ６ｃ，ｄを折り曲げ、箱本体１’，１’のフラップ７ａ〜ｄに貼着する。このように２個の箱本体１’，１’の上部に  別体の天壁４を貼着すると、各箱本体１’の端部がフラップ６ａ，ｂおよび天壁４のフラップ６ｃ，ｄにより完全に閉塞され、これらフラップ６ａ〜ｄにより端壁が形成される。
【００４０】
図８に示すように、この収納状態では、第１実施形態と同様に、端壁において切目線１３ａ，ｂおよび切目線１５ａ，ｂが連続しており、別体の天壁４に形成した切目線１１ａ，ｂの一端から底壁３に至るようになっている。また、ブリスターパック２の台紙２１の両側が底壁３および天壁４にそれぞれ内接するとともに、ブリスターパック２の台紙２１の上端および下端が対向する側壁５ａ，ｂにそれぞれ内接した状態で、ブリスターパック２は包装される。
【００４１】
次に、前記構成からなる包装箱１を開封する場合について説明する。
【００４２】
図１２に示すように、２個の箱本体１’，１’を一体に固着した天壁４の切目線３０ａ，ｂにより、第４の切取り片３１を切り取る。これにより、箱本体１’，１’は、それぞれ分割された天壁４’，４’によりそれぞれ上端および端壁の上部が閉塞された状態になる。
【００４３】
次いで、図４から図６に示す第１実施形態と同様の手順で、天壁４’，４’のフラップ６ｃ，ｄの一端にユーザの指先を引っ掛けて、端壁を構成するフラップ６ｃ，ｄから切取り片１４ａ，ｂおよび天壁４’から切取り片１２を切り取る。また、箱本体１’のフラップ６ａ，ｂの一端にユーザの指先を引っ掛けて、端壁を構成するフラップ６ａ，ｂから切取り片１６ａ，ｂを切り取る。
【００４４】
次に、底壁３の折目線１０を回転中心にして箱本体１’の両側を下向きに回転させ、観音開きする。このとき、ブリスターパック２のヘッダ２１ａに形成されたアール部２３は、前記円周Ｍの内側に位置するので、切取り片１２を切り取った後の天壁４に引っ掛かることがない。そして、折目線１０で底壁３を切り離す。
【００４５】
このように、第３実施形態の包装箱１では、複数の箱本体１’を纏めて包装できるため、物流に係る作業性を大幅に向上することができる。また、この包装箱１が納品された販売店などでは、前記のように第４の切取り片３１によって包装箱１を分割することにより、第１実施形態と同様にブリスターパック２をディスプレイすることができ、同様の作用および効果を得ることができる。
【００４６】
なお、本発明の包装箱は、前記実施形態の構成に限定されるものではなく、種々の変更が可能である。
【００４７】
例えば、前記各実施形態では、底壁３および天壁４に連設したフラップ６ａ〜６ｄにより端壁を形成したため、第２の切取り片１４ａ，ｂ，１６ａ，ｂをそれぞれ２つに分割して構成したが、側壁および端壁の設計変更により端壁を一枚の連続したシートにより構成することも可能であり、このように構成した場合には第２の切取り片１４ａ，ｂ，１６ａ，ｂは１つで構成する。なお、この場合には、天壁４に形成する第１の切取り片１２と第２の切取り片との境界部分に切目線を設け、これらを連続して切取り不可能に構成することが好ましい。また、第１実施形態のように、底壁３に第３の切取り片１８ａ，ｂを形成する場合も同様に、第２の切取り片との境界部分には切目線を設けて、連続的に切取り不可能に構成することが好ましい。
【００４８】
また、ブリスターパック２は、図１３に示すように、半円形状に面取りしたアール部２３ａを設けてもよい。また、図１４に示すように、アール部２３を設ける代りに折曲げ線２５を設けてもよい。このように折曲げ線２５を設けた場合、ブリスターパック２を包装箱１内に収容し、前述したように観音開きすると、ヘッダ２１ａの折曲げ線２５上方に位置する部分が天壁４に押圧されて内側に折れ曲がる。これにより、折曲げ線２５から台紙２１の隅にかけた領域が面取部となり、ヘッダ２１ａが天壁４に引っ掛かることなく包装箱１を観音開きして開封できる。
【図面の簡単な説明】
【００４９】
【図１】本発明の第１実施形態に係る包装箱の斜視図。
【図２】図１の包装箱の展開図。
【図３】（ａ）は図１のブリスターパックの正面図、（ｂ）は（ａ）の側面図。
【図４】図１の包装箱の天壁および底壁の切取り片を切り取った状態を示す斜視図。
【図５】図１の包装箱を観音開きする状態を示す断面図。
【図６】図１の包装箱を観音開きした後で、切り離した状態を示す斜視図。
【図７】第２実施形態の包装箱を示す展開図。
【図８】第３実施形態の包装箱を示す斜視図。
【図９】図８の箱本体を示す展開図。
【図１０】図８の天壁を示す展開図。
【図１１】収納作業の一工程を示す斜視図。
【図１２】２個の箱本体を分割した状態を示す斜視図。
【図１３】図３（ａ）のブリスターパックの変形例を示した正面図。
【図１４】図３（ａ）のブリスターパックの変形例を示した正面図。
【図１５】従来の包装箱の斜視図。
【図１６】図１５の包装箱を観音開きする状態を示した断面図。
【符号の説明】
【００５０】
１…包装箱、２…ブリスターパック、３…底壁、４…天壁、５ａ，ｂ…側壁、１０…折目線、１１ａ，ｂ…切目線（第１切目線）、１２…切取り片（第１切取り片）、１３ａ，ｂ…切目線（第２切目線）、１４ａ，ｂ…切取り片（第２切取り片）、１５ａ，ｂ…切目線（第２切目線）、１６ａ，ｂ…切取り片（第２切取り片）、１７ａ，ｂ…切目線（第３切目線）、１８ａ，ｂ…切取り片（第３切取り片）、２１…台紙、２１ａ…ヘッダ、２２…品物、２３…アール部（面取部）、３０ａ，ｂ…切目線（第４切目線）、３１…切取り片（第４切取り片）、Ｍ…円周。
【図１】
2004182345.tif 000003
【図２】
2004182345.tif 000004
【図３】
2004182345.tif 000005
【図４】
2004182345.tif 000006
【図５】
2004182345.tif 000007
【図６】
2004182345.tif 000008
【図７】
2004182345.tif 000009
【図８】
2004182345.tif 000010
【図９】
2004182345.tif 000011
【図１０】
2004182345.tif 000012
【図１１】
2004182345.tif 000013
【図１２】
2004182345.tif 000014
【図１３】
2004182345.tif 000015
【図１４】
2004182345.tif 000016
【図１５】
2004182345.tif 000017
【図１６】
2004182345.tif 000018